(57)【要約】【課題】より簡易な構成で産道の傷つきを抑制できる子宮用止血バルーンユニットを提供すること。【解決手段】チューブと、止血用バルーンと、チューブに設けられたコネクタと、チューブの基端部に着脱可能なキャップと、を備え、チューブは、止血用バルーンよりも先端側で開口し、子宮内の血液を外部に排出するためのドレーン流路と、止血用バルーンに連通する給水流路と、を有し、コネクタは、ドレーン流路に連通し、チューブの基端部に設けられたドレーン端子と、ドレーン端子よりも先端側で給水流路に連通し、チューブの外部に分岐して延出する可撓性を有する給水管と、給水管の基端に設けられ、給水管に連通する給水端子と、を有し、キャップは、ドレーン端子の開口に着脱可能に嵌合し、給水端子の少なくとも一部をドレーン端子の長さ方向に沿って収容可能な収容部が設けられ、収容部は、ドレーン端子の長さ方向と直交する方向に開口している。【選択図】  図７
2020000335.tif 000002
【特許請求の範囲】
【請求項１】
可撓性を有するチューブと、該チューブの先端部に設けられた止血用バルーンと、前記チューブに設けられたコネクタと、前記チューブの基端部に着脱可能なキャップと、を備え、
前記チューブは、前記止血用バルーンよりも先端側で開口し、子宮内の血液を外部に排出するためのドレーン流路と、前記止血用バルーンに連通する給水流路と、を有し、
前記コネクタは、前記ドレーン流路に連通し、前記チューブの基端部に設けられたドレーン端子と、前記ドレーン端子よりも先端側で前記給水流路に連通し、前記チューブの外部に分岐して延出する可撓性を有する給水管と、前記給水管の基端に設けられ、前記給水管に連通する給水端子と、を有し、
前記キャップは、前記ドレーン端子の開口に着脱可能に嵌合し、前記給水端子の少なくとも一部を前記ドレーン端子の長さ方向に沿って収容可能な収容部が設けられ、前記収容部は、前記ドレーン端子の長さ方向と直交する方向に開口していることを特徴とする子宮用止血バルーンユニット。
【請求項２】
前記収容部は、前記ドレーン端子の長さ方向と直交する方向への前記給水端子の移動を規制する抜け止め部を有し、前記抜け止め部は、前記収容部内に前記給水端子が収容された際に、前記給水管を前記収容部における前記ドレーン端子側で挟持する挟持部を有することを特徴とする請求項１に記載の子宮用止血バルーンユニット。
【請求項３】
前記収容部は、前記ドレーン端子の長さ方向と直交する方向への前記給水端子の移動を規制する抜け止め部を有し、前記抜け止め部は、前記収容部内に前記給水端子が収容された際に、前記収容部における前記ドレーン端子側とは反対方向側の面から突出し、前記給水端子の開口に嵌合する突起を有することを特徴とする請求項１又は２に記載の子宮用止血バルーンユニット。
【請求項４】
前記収容部は、前記キャップを貫通する貫通孔により構成されていることを特徴とする請求項１から３のいずれか一項に記載の子宮用止血バルーンユニット。
【請求項５】
前記キャップの先端側に固定され、前記チューブ内に挿入された際に、該チューブの形状を保持するスタイレットを有し、
前記ドレーン端子の開口に前記キャップを装着した際に、前記スタイレットの先端が前記止血用バルーンの基端部から該止血用バルーンの中心までの間に位置していることを特徴とする請求項１から４のいずれか一項に記載の子宮用止血バルーンユニット。
【請求項６】
前記スタイレットは、純アルミニウムにより構成されていることを特徴とする請求項５に記載の子宮用止血バルーンユニット。
【請求項７】
前記給水管の先端側に、金属製の線材が封入されていることを特徴とする請求項１から６のいずれか一項に記載の子宮用止血バルーンユニット。
【発明の詳細な説明】
【技術分野】
【０００１】
本発明は、子宮内での出血を抑制して止血する子宮用止血バルーンユニットに関する。
【背景技術】
【０００２】
従来、止血用バルーンを膣部から挿入し、子宮内に配置した上で、バルーンに空気又は水を注入してバルーンを膨らませることにより、出血を圧迫止血する止血用バルーンユニットが知られている。このような止血用バルーンユニットは、子宮内の血液等を排出するためのドレーン流路と、バルーンに液体を注入するための給水流路と、が設けられている。通常、止血バルーンを体外から子宮内に挿入する場合には、止血用バルーンを膣内に挿入した後、押し込むことで子宮内に配置する。そして、止血用バルーンとは反対側の端部に設けられている給水流路のコネクタを介して止血用バルーンに液体を注入してバルーンを膨らますことにより、出血個所を圧迫止血する。
【０００３】
一方、帝王切開を行った患者の場合、その切開部分から、止血用バルーンユニットのコネクタを子宮内に挿入し、膣を通じて患者の体外にコネクタを出すとともに、止血用バルーンを子宮内に配置する。このような切開部分からコネクタを先に子宮内に挿入して、該コネクタを外部に露出可能な止血用バルーンユニットとして、例えば特許文献１に記載されたものが知られている。
【０００４】
この特許文献１に記載の止血用バルーンユニットは、可撓性を有するチューブの先端部に止血用バルーンが設けられ、該チューブの基端部にコネクタが設けられた止血用バルーンカテーテルと、該止血用バルーンカテーテルの基端部に着脱自在に取り付けられるコネクタカバーとによって構成される。このチューブは、その内部に、止血用バルーンよりも先端側で開口する第１通路と、止血用バルーンに連通する第２通路とを備え、コネクタは、第１通路に連通する第１端子と、第２通路に連通して該第１端子の付け根部分から第１角度をもって分岐する第２端子とを備えると共に、第１端子と第２端子との少なくとも一方の付け根部分が可撓性を有することにより屈曲可能に構成され、コネクタカバーは、第１端子と第２端子とが第１角度より鋭角な第２角度となるように屈曲させた状態で収納可能に構成された端子収納部を備えている。これにより、第１端子及び第２端子がコネクタカバーによりまとめられた状態で、子宮内に挿入されるようになっている。
【先行技術文献】
【特許文献】
【０００５】
【特許文献１】特許第６０１２４２８号公報
【発明の概要】
【発明が解決しようとする課題】
【０００６】
しかしながら、特許文献１に記載の構成では、コネクタカバーに第１端子及び第２端子を収納する構成であることから、コネクタカバーの直径が大きくなり、子宮口などの狭い部分に挿入しづらく、無理に挿入しようとすると産道を傷つけてしまう可能性がある。また、コネクタカバーに第１端子及び第２端子のそれぞれを収納する作業が煩雑である。
【０００７】
本発明は、このような事情に鑑みてなされたもので、より簡易な構成で産道の傷つきを抑制できる子宮用止血バルーンユニットを提供することを目的とする。
【課題を解決するための手段】
【０００８】
本発明の子宮用止血バルーンユニットは、可撓性を有するチューブと、該チューブの先端部に設けられた止血用バルーンと、前記チューブに設けられたコネクタと、前記チューブの基端部に着脱可能なキャップと、を備え、前記チューブは、前記止血用バルーンよりも先端側で開口し、子宮内の血液を外部に排出するためのドレーン流路と、前記止血用バルーンに連通する給水流路と、を有し、前記コネクタは、前記ドレーン流路に連通し、前記チューブの基端部に設けられたドレーン端子と、前記ドレーン端子よりも先端側で前記給水流路に連通し、前記チューブの外部に分岐して延出する可撓性を有する給水管と、前記給水管の基端に設けられ、前記給水管に連通する給水端子と、を有し、前記キャップは、前記ドレーン端子の開口に着脱可能に嵌合し、前記給水端子の少なくとも一部を前記ドレーン端子の長さ方向に沿って収容可能な収容部が設けられ、前記収容部は、前記ドレーン端子の長さ方向と直交する方向に開口している。
【０００９】
本発明では、収容部が給水端子をドレーン端子の長さ方向に沿って収容可能に形成されているので、この収容部に給水端子を収容すると、コネクタ側から子宮用止血バルーンユニットを見た場合に、キャップと給水端子とが重なった状態となる。すなわち、ドレーン端子と給水端子とがドレーン端子の長さ方向と直交する方向に並んだ場合よりもコネクタの直径を小さくできることから、帝王切開を行った患者の切開部分からキャップを挿入する際の挿入抵抗を小さくできる。このため、帝王切開を行った患者の切開部分から子宮用止血バルーンユニットを挿入する際に生じ易い産道の傷つきを抑制できる。
【００１０】
本発明の子宮用止血バルーンユニットの好ましい態様としては、前記収容部は、前記ドレーン端子の長さ方向と直交する方向への前記給水端子の移動を規制する抜け止め部を有し、前記抜け止め部は、前記収容部内に前記給水端子が収容された際に、前記給水管を前記収容部における前記ドレーン端子側で挟持する挟持部を有するとよい。
【００１１】
上記態様では、挟持部により収容部におけるドレーン端子側で給水管を挟持して保持することができるので、キャップの挿入時に給水端子がキャップから外れることを抑制できる。従って、キャップを挿入している最中に収容部から給水端子が外れて挿入抵抗が大きくなることを抑制できる。
【００１２】
本発明の子宮用止血バルーンユニットの好ましい態様としては、前記収容部は、前記ドレーン端子の長さ方向と直交する方向への前記給水端子の移動を規制する抜け止め部を有し、前記抜け止め部は、前記収容部内に前記給水端子が収容された際に、前記収容部における前記ドレーン端子側とは反対方向側の面から突出し、前記給水端子の開口に嵌合する突起を有するとよい。
【００１３】
上記態様では、収容部内の突起に給水端子の開口が嵌合するので、キャップの挿入時に給水端子がキャップから外れることをさらに抑制できる。
【００１４】
本発明の子宮用止血バルーンユニットの好ましい態様としては、前記収容部は、前記キャップを貫通する貫通孔により構成されているとよい。
【００１５】
ここで、収容部が貫通孔により構成されていない場合、すなわち、収容部の一方が閉鎖され、一方向にしか開口していない場合において、収容部の開口方向に給水端子が位置していないと、給水端子の収容時にキャップを回転させる必要がある。また、帝王切開を行った患者の切開部分からキャップを挿入する際において、収容部内に患者の血液や体液が溜まる場合がある。
【００１６】
これに対し、上記態様では、収容部が貫通孔により構成されているので、ドレーン端子内にキャップを収容した際にいずれの位置に給水端子が位置していてもキャップを回転させることなく給水端子を収容部内に収容でき、かつ、収容部内に患者の血液や体液がたまる可能性を低減できる。
【００１７】
上記態様では、前記キャップの先端側に固定され、前記チューブ内に挿入された際に、該チューブの形状を保持するスタイレットを有し、前記ドレーン端子の開口に前記キャップを装着した際に、前記スタイレットの先端が前記止血用バルーンの基端部から該止血用バルーンの中心までの間に位置しているとよい。
【００１８】
ここで、スタイレットの先端が止血用バルーンの中心を超えてドレーン流路の先端近傍まで延びていると、ドレーン流路の先端からスタイレットが飛び出す可能性があり、止血用バルーンの基端部より短いと、止血用バルーンを膣から子宮内に挿入する場合に、先端部をスタイレットにより支持できないので、挿入しにくくなる。
【００１９】
これに対し、上記態様では、スタイレットの先端が上記範囲内に位置しているため、子宮用止血バルーンユニットを適切に挿入でき、かつ、スタイレットにより子宮を傷つけることを抑制できる。
【００２０】
本発明の子宮用止血バルーンユニットの好ましい態様としては、前記スタイレットは、純アルミニウムにより構成されているとよい。
【００２１】
上記態様では、スタイレットが純アルミニウムにより構成されているので、スタイレットを折り曲げた角度でその形状を維持でき、かつ、強い力が加わった際には変形するので、子宮用止血バルーンユニットの操作性を向上できる。
【００２２】
本発明の子宮用止血バルーンユニットの好ましい態様としては、前記給水管の先端側に、金属製の線材が封入されているとよい。
【００２３】
上記態様では、給水管の先端側、すなわち、止血用バルーンの先端に金属製の線材が封入されているので、例えば、止血用バルーンの子宮内における位置を超音波エコーにより検出することができる。
【発明の効果】
【００２４】
本発明によれば、より簡易な構成で子宮用止血バルーンユニットの挿入時における産道の傷つきを抑制できる。
【図面の簡単な説明】
【００２５】
【図１】本発明の一実施形態に係る子宮用止血バルーンユニットの平面図である。
【図２】上記実施形態におけるチューブの図１のＡ１−Ａ１線に沿う矢視断面図である。
【図３】上記実施形態におけるチューブの図１のＢ１−Ｂ１線に沿う矢視断面図である。
【図４】上記実施形態における子宮用止血バルーンユニットのスタイレットを示す平面図である。
【図５】上記実施形態におけるスタイレットのキャップを拡大して示す平面図である。
【図６】上記実施形態におけるスタイレットのキャップを拡大して示す斜視図である。
【図７】上記実施形態における給水端子が収容部内に収容された状態を示す斜視図である。
【図８】上記実施形態における子宮用止血バルーンユニットが母体の切開部分から母体内に挿入される状態を示す模式図である。
【発明を実施するための形態】
【００２６】
以下、本発明の子宮用止血バルーンユニットの実施形態について、図面を参照して説明する。
【００２７】
［子宮用止血バルーンユニットの概略構成］
本実施形態の子宮用止血バルーンユニット（以下、バルーンユニットという）１は、図１に示すように、可撓性を有するチューブ２と、該チューブ２の先端部に設けられた止血用バルーン３と、チューブ２に設けられたコネクタ４と、チューブ２の基端部に着脱可能なキャップ７と、を備えている。
【００２８】
［チューブの構成］
チューブ２は、例えば、ポリ塩化ビニル、シリコンゴム、および熱可撓性エラストマーなどの合成樹脂により形成され、可撓性を有している。このチューブ２には、該チューブ２の延出方向に沿ってＸ線により検出可能なライン（図示省略）が塗布されている。また、チューブ２は、図１〜図３に示すように、止血用バルーンよりも先端側で開口し、子宮内の血液を外部に排出するためのドレーン流路２１と、止血用バルーン３に連通する給水流路２２と、を有している。
【００２９】
これらのうち、ドレーン流路２１は、図３に示すように、チューブ２の先端から基端まで連通しており、その先端部には、子宮内の血液等が流入する開口２１１が形成されている。一方、給水流路２２は、チューブ２の先端近傍から基端近傍まで連通している。すなわち、給水流路２２は、チューブ２の先端及び基端のいずれにも達していない。
【００３０】
ここで、チューブ２には、上述したようにＸ線により検出可能なラインが塗布されていることから、Ｘ線により検出可能であるが、Ｘ線検査装置がない場合、バルーンユニット１のチューブ２を子宮内に挿入してもその位置を検出できない。このような事態に対応するため、本実施形態では、図３に示すように、給水流路２２の先端側に、金属製の線材２３が封入されている。この線材２３は、超音波エコーにより検出可能な金属により構成されている。このため、Ｘ線検査装置がない場合でも、止血用バルーン３の位置を超音波エコーにより容易に検出可能となる。
【００３１】
なお、金属製の線材２３は、超音波エコーにより検出可能な金属により構成されていることとしたが、好ましくは、金属の中でも錆に強い非鉄金属により構成されるとよい。より好ましくは、生体への影響が少ないアルミニウム又はステンレスにより構成されるとよい。この場合、線材２３は、後述するスタイレット６と同じ組成の純アルミニウムにより構成されてもよい。
【００３２】
［止血用バルーンの構成］
止血用バルーン３は、例えば、シリコンゴム等により形成されている。この止血用バルーン３は、給水流路２２を介して水等の液体が注入されることにより膨張する。この止血用バルーン３は、例えば、最大５００ｍｌの液体を注入することが可能となっている。なお、止血用バルーン３の大きさは、任意に設定でき、例えば、６００ｍｌの液体を注入可能な大きさであってもよい。
【００３３】
［コネクタの構成］
コネクタ４は、ドレーン流路２１に連通し、チューブ２の基端部に設けられたドレーン端子４１と、ドレーン端子４１よりも先端側で給水流路２２に連通し、チューブ２の外部に分岐して延出する可撓性を有する給水管４２と、給水管４２の基端に設けられ、給水管４２に連通する給水端子４３と、を備えている。
【００３４】
ドレーン端子４１は、シリコンゴム等により形成される可撓性を有する筒状部材である。このドレーン端子４１は、基端側に向かうに従って徐々にその径が拡張するいわゆるラッパ状に形成されている。このドレーン端子４１は、ドレーン流路２１に連通しているため、開口２１１から流入した子宮内の血液等は、ドレーン流路２１を介してドレーン端子４１の開口４１１から排出される。なお、詳しくは後述するが、ドレーン端子４１の開口４１１には、スタイレット部５のキャップ７が装着される。
【００３５】
給水管４２は、例えば、シリコンゴム等により形成され、可撓性を有している。この給水管４２は、先端がチューブ２内の給水流路２２に連通しており、チューブ２の基端部近傍から外部に延出している。この給水管４２の基端には、給水端子４３が設けられている。給水端子４３は、例えば、ＰＶＣ（硬質塩化ビニル）等により形成されている。この給水端子４３は、図１に示す二方コック４４に接続される。
【００３６】
この二方コック４４には、注射器等の給水器（図示省略）が接続される。この給水器から二方コック４４を介して液体が注入されると、給水端子４３、給水管４２及び給水流路２２を介して止血用バルーン３内に液体が供給される。一方、止血用バルーン３内に液体が供給された状態で、二方コック４４のロックを解除すると、止血用バルーン３内の液体が逆流し、止血用バルーン３が収縮する。
【００３７】
［スタイレット部の構成］
スタイレット部５は、図４に示すように、ドレーン流路２１内に配置されるスタイレット６と、スタイレット６の基端部に固定され、ドレーン端子４１の開口４１１に着脱可能に嵌合するキャップ７と、を備えている。これらのうち、スタイレット６は、純アルミニウム（例えば、Ａ１０７０等）のワイヤにより構成される。これにより、スタイレット６は、該スタイレット６を折り曲げた角度でその形状を維持でき、かつ、強い力が加わった際には変形する。
【００３８】
ここで、スタイレット６の先端が止血用バルーン３の中心を超えてドレーン流路２１の先端近傍まで延びていると、ドレーン流路２１の先端からスタイレット６が飛び出す可能性があり、止血用バルーン３の基端部より短いと、止血用バルーン３を膣から子宮内に挿入する場合に、先端部をスタイレット６により支持できないので、挿入しにくくなる。
【００３９】
本実施形態では、スタイレット６の長さは、ドレーン端子４１の開口４１１にキャップ７を装着した際に、スタイレット６の先端が止血用バルーン３の基端部から該止血用バルーン３の中心までの間に位置する長さに設定されている。これにより、子宮用止血バルーンユニット１を適切に母体内に挿入でき、かつ、スタイレット６により子宮を傷つけることを抑制している。
【００４０】
［キャップの構成］
キャップ７は、例えば、軟質塩化ビニルやシリコン材により一体成型されている。このキャップ７は、図５及び図６に示すように、キャップ本体７１と、キャップ本体７１の先端部に固定され、ドレーン端子４１の開口４１１に挿入されて固定される連結部７２と、を備えている。これらのうち、連結部７２は、その径がスタイレット６に向かうに従って徐々に縮径していく形状で、上記ドレーン端子４１の開口径よりも若干大きく形成されている。
【００４１】
なお、キャップ７は、一体成型されていることとしたが、これに限らず、キャップ本体７１を軟質塩化ビニルやシリコン材により形成し、連結部７２をこれらよりも固い硬質塩化ビニルにより形成し、これらを接合してキャップ７を構成することとしてもよい。
【００４２】
キャップ本体７１には、給水端子４３及び給水管４２の一部をドレーン端子４１の長さ方向に沿って収容可能な収容部７１１が設けられている。この収容部７１１は、ドレーン端子４１の長さ方向と直交する方向に開口する貫通孔により構成されている。具体的には、収容部７１１は、給水端子４３の径より若干幅広で給水端子４３の長さよりわずかに大きい端子収容部７１１ａと、給水管４２より幅の狭い給水管収容部７１１ｂと、を備え、これらは連通している。
【００４３】
また、収容部７１１は、ドレーン端子４１の長さ方向と直交する方向への給水端子４３の移動を規制する抜け止め部（突起７１３及び挟持部７１４）を備えている。突起７１３は、端子収容部７１１ａを構成する貫通孔の基端側（ドレーン端子４１とは反対側）の面７１２からスタイレット６に向けて突出する部位であり、端子収容部７１１ａ内に給水端子４３が収容された際に、給水端子４３の開口４３１に嵌合する。
【００４４】
また、挟持部７１４は、キャップ本体７１の先端側（ドレーン端子４１側）で給水管収容部７１１ｂ内に位置する一対の壁部である。この一対の壁部により構成される挟持部７１４間の距離は、給水管４２の幅よりも若干小さく設定されており、外側に向かうに従って、その距離が大きくなっている。また、挟持部７１４間には、連結部７２側から端子収容部７１１ａに向かうに従って下り勾配となる傾斜面７１５が形成されている。これにより、端子収容部７１１ａ内に給水端子４３が収容されると、給水管４２が挟持部７１４上に位置することとなり、該挟持部７１４に向けて給水管４２を押し付けると、図７に示すように、給水端子４３に接続された給水管４２が挟持部７１４によりキャップ本体７１の先端側で挟持され、給水管収容部７１１ｂ内に傾斜面７１５に沿って収容される。
【００４５】
また、キャップ本体７１の基端部７１６（ドレーン端子４１とは反対側の端部）は、略半円球状に形成されている。この基端部７１６の径は、給水端子４３の径よりも大きく設定されており、突起７１３が基端部７１６の中心に設けられているため、給水端子４３を収容部７１１に収容した際に、給水端子４３がキャップ本体７１の外側にはみ出ることがないようになっている。また、キャップ本体７１の先端側における挟持部７１４に直交する方向に、一対の凹部７１７が形成されている。この凹部７１７は、ユーザがスタイレット部５を操作する際に指をかける部位となる。
【００４６】
［収容部への給水端子の収容方法］
以上説明したようなバルーンユニット１では、例えば、以下のようにしてキャップ７の収容部７１１に給水管４２の一部及び給水端子４３が収容される。まず、ドレーン端子４１の開口４１１にキャップ７の連結部７２を装着する。そして、キャップ本体７１の収容部７１１内（端子収容部７１１ａ内）の突起７１３に給水端子４３の開口４３１を嵌合させ、端子収容部７１１ａ内に給水端子４３を押し込む。その後、給水管４２を挟持部７１４に向けて押圧すると、給水管４２の基端部が挟持部７１４に挟持されて、給水管収容部７１１ｂ内に保持される。これにより、給水端子４３及び給水管４２の一部が、図７に示すように、収容部７１１内に収容される。
【００４７】
［バルーンユニットの使用方法］
以上説明したようなバルーンユニット１は、例えば図８に示すように、帝王切開を行った患者の切開部分から、母体内に挿入される。まず、キャップ７の収容部７１１内に給水端子４３が収容された状態のバルーンユニット１を子宮内に挿入する。この際、バルーンユニット１のチューブ２は、図８に示すように、大きく屈曲させる必要がある。そして、膣を通じて患者の体外にコネクタ４を出すとともに、止血用バルーン３を子宮内に配置する。
【００４８】
なお、本実施形態では、スタイレット６１が純アルミニウムにより構成されているので、スタイレット６１を折り曲げた角度でその形状を維持でき、かつ、強い力が加わった際には変形するので、子宮用止血バルーンユニット１の操作性を向上できる。
【００４９】
また、切開部分から母体内にバルーンユニット１を挿入する方法を説明したが、もちろん、通常の方法（膣から挿入する方法）においても、バルーンユニット１は、適切に使用可能である。
【００５０】
本実施形態では、収容部７１１が給水端子４３をドレーン端子４１の長さ方向に沿って収容可能に形成されているので、この収容部７１１に給水端子４３を収容すると、コネクタ４側からバルーンユニット１を見た場合に、キャップ７（キャップ本体７１）と給水端子４３とが重なった状態となる。すなわち、ドレーン端子４１と給水端子４３とがドレーン端子４１の長さ方向と直交する方向に並んだ場合よりもコネクタ４の直径を小さくできることから、帝王切開を行った患者の切開部分からキャップ７を挿入する際の挿入抵抗を小さくできる。このため、帝王切開を行った患者の切開部分からバルーンユニット１を挿入する際に生じ易い産道の傷つきを抑制できる。また、給水端子４３が収容部７１１に収容された際に抜け止め部（突起７１３及び挟持部７１４）により給水端子４３の上記方向への移動が規制されているので、キャップ７を挿入している最中に収容部７１１から給水端子４３が外れて挿入抵抗が大きくなることを抑制できる。
【００５１】
本発明は上記実施形態に限定されるものではなく、本発明の趣旨を逸脱しない範囲において種々の変更を加えることが可能である。例えば、上記実施形態では、抜け止め部として突起７１３及び挟持部７１４を例示したが、これに限らない。例えば、収容部７１１の略中央部の両側部に、それぞれ対向する側部に向けて延びる突起を設け、該突起により給水端子４３を保持することとしてもよい。すなわち、抜け止め部の形状は、適宜変更可能である。
【００５２】
上記実施形態では、収容部７１１は、貫通孔により構成されていることとしたが、これに限らず、例えば、一方の面が閉鎖されていてもよい。また、上記実施形態では、スタイレット６は、純アルミニウムにより形成されていることとしたが、これに限らず、例えば、アルミニウム合金であってもよい。すなわち、スタイレット６は、チューブ２の形状を維持でき、大きな力が加わった際に変形すれば、その組成は問わない。
【００５３】
上記実施形態では、スタイレット６は、ドレーン端子４１内に収容されることとしたが、これに限らない。例えば、チューブ２内にスタイレット６を挿抜可能な孔部を形成し、該孔部内に収容可能としてもよい。
【００５４】
上記実施形態では、給水端子４３は、二方コック４４に接続されることとしたが、これに限らない。例えば、給水端子４３には、一方向バルブや高速注入バルブが接続されることとしてもよい。これらのうち、一方向バルブは、給水時のシリンジ交換の時にコックをＯＦＦにする必要がなく、シリンジを外すと弁が聞いて、止血用バルーン３側からの逆流を防止する。高速注入バルブは、一方向弁を２個組合せたバルブであり、上側の接続口に蒸留水や生理食塩水などの輸液バックを接続し、給水端子４３とシリンジとをそれぞれに接続し、シリンジを引くと輸液バック側の弁が開き、給水端子４３側が閉じ、シリンジに水が流れ込む。一方、シリンジを押すと輸液バック側の弁が閉じ、給水端子４３側の弁が開き、止血用バルーン３に水が流れ込む。このため、バルブやシリンジを外すことなく、繰り返し止血用バルーン３に水を注入できる。
【符号の説明】
【００５５】
１  子宮用止血バルーンユニット
２  チューブ
３  止血用バルーン
４  コネクタ
５  スタイレット部
６  スタイレット
７  キャップ
２１  ドレーン流路
２２  給水流路
２３  線材
４１  ドレーン端子
４２  給水管
４３  給水端子
４４  二方コック
７１  キャップ本体
７２  連結部
２１１  開口
４１１  開口
４３１  開口
７１１  収容部
７１１ａ  端子収容部
７１１ｂ  給水管収容部
７１２  面
７１３  突起（抜け止め部）
７１４  挟持部（抜け止め部）
７１５  傾斜面
７１６  基端部
７１７  凹部
【図１】
2020000335.tif 000003
【図２】
2020000335.tif 000004
【図３】
2020000335.tif 000005
【図４】
2020000335.tif 000006
【図５】
2020000335.tif 000007
【図６】
2020000335.tif 000008
【図７】
2020000335.tif 000009
【図８】
2020000335.tif 000010